(57)【要約】【課題】部屋の壁面を形成するための壁パネル製造工数や廃棄のための分別工数を低減する。【解決手段】外嵌部２ａ（３ａ）及び連結部２ｂ（３ｂ）を形成した補強材２（３）と、四角形の基板４と、基板４に固定した仕上板５を備え、基板４の四周側縁の各々に補強材２（３）の外嵌部２ａ（３ａ）を嵌脱自在に嵌着し、基板４の裏面側で補強材２（３）の隣接する連結部２ｂ（３ｂ）どうしを分離可能に連結６したこと。【効果】製造するとき、基板４の四周側縁に嵌着した補強材２，３どうしを連結することで基板４と補強材２，３を一体化でき、分別するとき、補強材２，３どうしの連結を解き、基板４から補強材２，３を離脱して分離することで、分別して単独に扱うことができる。【選択図】図１
2005290885.tif 000002
【特許請求の範囲】
【請求項１】
部屋の壁面を形成するための壁パネルにおいて、外嵌部及び連結部を形成した補強材と、四角形の基板と、基板に固定した仕上板と、連結材を備え、前記基板の対向する側縁の各々に前記補強材の外嵌部を嵌脱自在に嵌着し、基板裏面側で両方の強補材の連結部どうしを前記連結材を用いて分離可能に連結したことを特徴とする部屋構築用壁パネル。
【請求項２】
前記補強材が、前記連結部を前記基板より壁パネル裏面側へ突出した状態で前記外嵌部と並列させ、前記両方の強補材の対向する連結部の間に、前記連結材を配置した請求項１記載の部屋構築用壁パネル。
【請求項３】
部屋の壁面を形成するための壁パネルにおいて、外嵌部及び連結部を形成した補強材と、四角形の基板と、基板に固定した仕上板を備え、前記基板の四周側縁の各々に前記補強材の外嵌部を嵌脱自在に嵌着し、前記基板の裏面側で補強材の隣接する連結部どうしを分離可能に連結したことを特徴とする部屋構築用壁パネル。
【請求項４】
前記補強材が、前記連結部を前記基板より壁パネル裏面側へ突出した状態で前記外嵌部と並列させ、対向する前記強補材の連結部の間に連結材を配置して、両強補材を該連結材で分離可能に連結した請求項３記載の部屋構築用壁パネル。
【請求項５】
前記補強材が、表側片と外側片と裏側片と内側片を連ねて形成され、離反する表側片と内側片の間に前記外嵌部を設けると共に、外嵌部と裏側面の間を前記連結部とした請求項２又は４記載の部屋構築用壁パネル。
【請求項６】
前記補強材が、表側片と内側片と裏側片を外側片で連結して、表側片と内側片の間に凹溝状の外嵌部を形成すると共に内側片と裏面片の間に凹溝状の連結部を形成し、該連結部に前記連結材の端部を差し込んだ請求項２又は４記載の部屋構築用壁パネル。
【発明の詳細な説明】
【技術分野】
【０００１】
本発明は、浴室や脱衣室等の部屋の壁面を形成するための部屋構築用壁パネルに関するものである。
【背景技術】
【０００２】
従来の部屋構築用壁パネルは、Ｃ型鋼や角パイプなどの形鋼を溶接して枠組みした保持枠に、石膏ボードなどの基板を螺子止め又は接着で固定し、該基板にタイル等の仕上板を整列して接着したものである。（特許文献１，２）
【特許文献１】実用新案登録第２５１６４３６号公報
【特許文献１】特開昭６０−９５０６６号公報
【発明の開示】
【発明が解決しようとする課題】
【０００３】
しかし、従来の壁パネルは、形鋼を溶接して保持枠を枠組みし、保持枠に基板を螺子止め又は接着で固定するので、製造に多くの手間が必要であった。また、廃棄のために分別するとき、保持枠に螺子止め又は接着で固定されている基板と保持枠を分離したり、大きな保持枠を切断して小さくするのに多くの手間が必要であった。
そこで、本発明は、従来の壁パネルのこの欠点に鑑み創案したものであって、製造工数や廃棄のための分別工数を低減することができる部屋構築用壁パネルを提供することを目的とする。
【課題を解決するための手段】
【０００４】
製造工数や廃棄のための分別工数を低減するために請求項１記載の本発明が採用した手段は、部屋の壁面を形成するための壁パネルにおいて、外嵌部及び連結部を形成した補強材と、四角形の基板と、基板に固定した仕上板と、連結材を備え、前記基板の対向する側縁の各々に前記補強材の外嵌部を嵌脱自在に嵌着し、基板裏面側で両方の強補材の連結部どうしを前記連結材を用いて分離可能に連結したことを特徴とする部屋構築用壁パネルである。
請求項１記載の本発明にあっては、製造するとき、基板の両側縁に補強材を嵌着して、補強材どうしを連結材で連結することで基板と補強材を一体化でき、廃棄するとき、強補材と連結材の連結を解いて分離すると共に、基板から補強材を離脱して分離することで、強補材と連結材と基板を分別して単独に扱うことができる。
【０００５】
薄くて丈夫な壁パネルとするために請求項２記載の本発明が採用した手段は、前記補強材が、前記連結部を前記基板より壁パネル裏面側へ突出した状態で前記外嵌部と並列させ、前記両方の強補材の対向する連結部の間に、前記連結材を配置した請求項１記載の部屋構築用壁パネルである。
請求項２記載の本発明にあっては、両方の強補材の連結部の間に配置した連結材が、基板から壁パネル裏面側へ突出する寸法を少なく又は無くすることができ、また、補強材が、連結部及び外嵌部を並列させて断面二次モーメントを大きくすることで、壁パネル全体の曲げ剛性を大きくできる。
【０００６】
製造工数や廃棄のための分別工数を低減するために請求項３記載の本発明が採用した手段は、部屋の壁面を形成するための壁パネルにおいて、外嵌部及び連結部を形成した補強材と、四角形の基板と、基板に固定した仕上板を備え、前記基板の四周側縁の各々に前記補強材の外嵌部を嵌脱自在に嵌着し、前記基板の裏面側で補強材の隣接する連結部どうしを分離可能に連結したことを特徴とする部屋構築用壁パネルである。
請求項３記載の本発明にあっては、製造するとき、基板の四周側縁に嵌着した補強材どうしを連結することで基板と補強材を一体化でき、廃棄するとき、補強材どうしの連結を解き、基板から補強材を離脱して分離することで、強補材と基板を分別して単独に扱うことができる。
【０００７】
薄くて丈夫な壁パネルとするために請求項４記載の本発明が採用した手段は、前記補強材が、前記連結部を前記基板より壁パネル裏面側へ突出した状態で前記外嵌部と並列させ、対向する前記強補材の連結部の間に連結材を配置して、両強補材を該連結材で分離可能に連結した請求項３記載の部屋構築用壁パネルである。
請求項４記載の本発明にあっては、強補材の連結部の間に配置した連結材が、基板から壁パネル裏面側へ突出する寸法を少なく又は無くすることができ、また、補強材が連結部及び外嵌部を並列させて断面二次モーメントを大きくできると共に、対向する強補材の連結部どうしを連結材で連結することで壁パネル全体の曲げ剛性を大きくできる。
【０００８】
強補材の構造を簡単にして扱い易くするために請求項５記載の本発明が採用した手段は、前記補強材が、表側片と外側片と裏側片と内側片を連ねて形成され、離反する表側片と内側片の間に前記外嵌部を設けると共に、外嵌部と裏側面の間を前記連結部とした請求項２又は４記載の部屋構築用壁パネルである。なお、基板に強補材を安定よく外嵌させるために、前記外嵌部を介して前記表側片と対面する巻込み片を、前記内側片と連ね、基板を表側片と巻込み片で挟むようにすることもある。強補材は、一枚の板材から折り曲げ形成されたもの、または、引き抜き成形されたものを用いることができる。
請求項５記載の本発明にあっては、補強材が、各片を連ねて形成されている。
【０００９】
強補材の構造を簡単にして扱い易くするために請求項６記載の本発明が採用した手段は、前記補強材が、表側片と内側片と裏側片を外側片で連結して、表側片と内側片の間に凹溝状の外嵌部を形成すると共に内側片と裏面片の間に凹溝状の連結部を形成し、該連結部に前記連結材の端部を差し込んだ請求項２又は４記載の部屋構築用壁パネルである。
請求項６記載の本発明にあっては、補強材が、三片を連結した二条溝に形成されている。
【発明の効果】
【００１０】
請求項１記載の本発明に係る部屋構築用壁パネルは、基板に対する補強材の嵌着と、連結材による補強材どうしの連結が簡単にできるので、製造工数の低減が図れ、また、強補材と連結材の連結を解いて、基板から補強材を離脱することで三者を簡単に分離できるので、分別工数の低減が図れる。
請求項２記載の本発明に係る部屋構築用壁パネルは、厚みが薄くても、曲げ剛性が大きな丈夫なものでる。
【００１１】
請求項３記載の本発明に係る部屋構築用壁パネルは、基板に対する補強材の嵌着と補強材どうしの連結が簡単にできるので、製造工数の低減が図れ、また、補強材どうしの連結を解いて、基板から補強材を離脱することで簡単に分離できるので、分別工数の低減が図れる。
請求項４記載の本発明に係る部屋構築用壁パネルは、厚みが薄くても、曲げ剛性が大きな丈夫なものでる。
請求項５及び６記載の本発明に係る部屋構築用壁パネルは、強補材の構造を簡単にでき扱い易い。
【発明を実施するための最良の形態】
【００１２】
本発明に係る部屋構築用壁パネル（以下、「本発明壁パネル」と言う。）を図面に示す実施形態に基づいて説明する。
【００１３】
（第１の実施の形態）
図１乃至図５は本発明壁パネルの第１の実施の形態を示すものであり、図１は仕上板を一部破断して示す本発明壁パネル１の正面図、図２は本発明壁パネル１の背面図、図３の（Ａ）〜（Ｄ）は本発明壁パネルの製造工程を説明するものであり右半分を断面した平面図、図４は主要部材である基板４，補強材２，３及び連結材７を分離した状態の隅側を斜め背面側からみた斜視図、図５（Ａ）は主要部材である基板４，補強材２，３及び連結材７を一体化した状態の隅側を斜め背面側からみた斜視図、同図（Ｂ）は同状態の隅側を斜め正面側からみた斜視図である。
【００１４】
本例の本発明壁パネル１は、図１及び図２に示す如く、外嵌部２ａ及び連結部２ｂを形成した左右の補強材２，２及び外嵌部３ａ及び連結部３ｂを形成した上下の補強材３，３と、四角形の基板４と、基板４に固定した仕上板５を備え、基板４の四周側縁４ａ，４ａ，４ｂ，４ｂの各々に補強材２（又は３）の外嵌部２ａ（又は３ａ）を嵌脱自在に嵌着し、基板４の裏面側で補強材２，３の隣接する連結部２ｂ，３ｂどうしを分離可能にビス等で連結６したものである。更に、本発明壁パネル１は、長手方向となる左右の強補材２，２の対向する連結部２ｂ，２ｂの間に連結材７，７を配置して、強補材２，２を連結材７で分離可能にビス等で連結８，８してある。
【００１５】
左右の補強材２，２は左右対称であり、上下の補強材３，３は上下対称である。本例のの場合、左右の補強材２，２及び上下の補強材３，３は、横断面の形状が同一である。左補強材２（３）の各々は、図５に示す如く、連結部２ｂ（３ｂ）を基板４より基板裏面側へ突出した状態で外嵌部２ａ（３ａ）と並列させて、断面二次モーメントを大きくしてある。
【００１６】
前記補強材２（３）は、図４に示す如く、表側片２ｃ（３ｃ）と外側片２ｄ（３ｄ）と裏側片２ｅ（３ｅ）と内側片２ｆ（３ｆ）を連ねて形成され、離反する表側片２ｃ（３ｃ）と内側片２ｆ（３ｆ）の間に外嵌部２ａ（３ａ）を設けると共に、外嵌部２ａ（３ａ）と裏側片２ｅ（３ｅ）の間を連結部２ｂ（３ｂ）としてある。更に、補強材２（３）は、内側片２ｆ（３ｆ）と連ねた巻込み片２ｇ（３ｇ）を、外嵌部２ａ（３ａ）を介して表側片２ｃ（３ｃ）と対面させることで、基板４の側縁４ａ（４ｂ）を表側片２ｃ（３ｃ）と巻込み片２ｇ（３ｇ）で安定よく挟むようにしてある。上下の各補強材３は、連結部ｂの左右両端側に裏側面３ｅから延設した連結片３ｈを突出させ、左右の各補強材２の連結部２ｂに連結してある（図５（Ａ）参照）。なお、上下の補強材３（３）に連結片３ｈを設ける代わりに、図示は省略したが、左右の各補強材２の連結部２ｂの上下両端側に裏側面２ｅから延設した連結片を突出させることも可能である。補強材２（３）は、帯鋼板等の一枚の板材から折り曲げ形成されたもの、または、アルミニウムの押し出し成形されたものを用いることができる。
【００１７】
前記連結材７は、図４に示す如く、Ｃ型鋼や角パイプなどの形鋼からなり、左右両端に連結片７ａ，７ａを備えている。前記補強材２は、連結材７を連結するためのビス８の全体を中空部へ挿入させるための貫通孔１０及びビス８のネジ部を挿通させるための挿通孔１１を設けてある。
【００１８】
前記基板４は、図１に示す如く、ケイ酸カルシウム板や繊維強化セメント板等が選択される。仕上板５は、陶磁器タイル又は石板等の無機質の板材等から選択され、基板４に対してエポキシ系接着剤，変成シリン系接着剤又はモルタル系接着剤等の接着剤９で固定される。
【００１９】
次に、本例の本発明壁パネル１の製造手順を図３の工程図に基づいて説明する。先ず，同図（Ａ）〜（Ｃ）の左半分に示す如く、所定の大きさに形成した基板４の四周側縁４ａ（４ｂ）の各々に補強材２（又は３）の外嵌部２ａ（又は３ａ）を嵌脱自在に嵌着させ、上下の補強材３，３の左右の各連結片３ｈを左右の各補強材２の連結部２ｂにビス６で連結する。続けて、同図（Ｂ），（Ｃ）の右半分に示す如く、左右の強補材２，２の対向する連結部２ｂ，２ｂの間に連結材７，７を配置し、左右の各強補材２の貫通孔１０（図４参照）を貫通するビス８を連結材７の連結片７ａに螺着して、強補材２と連結材７を連結し、基板４，強補材２，２，３，３と連結材７，７を一体化する。最後に、基板４の表面及び補強材２，３の表面に所定配列状態の複数枚の仕上材５を接着剤９で固定する。必要に応じて、仕上材５，５間の目地に、目地材を充填して本発明壁パネル１を得る。なお、廃棄するときの補強材２，３と仕上材５の分離をし易くするために、両者を接着剤９で接着しないようにするか、少量の接着剤９で両者を接着する。また、連結材７は、廃棄するときの分離に大きな障害を与えない範囲で、基板４に対して接着剤等で部分的に接合することもある。
【００２０】
また、本発明壁パネル１を廃棄するときには、先ず、ビス８を螺脱して連結材７と強補材２を分離すると共に、ビス６を螺脱して強補材２と強補材３の連結を解く。次に、基板４の四周側縁から補強材２，３を外して分離する。このとき、基板４と左右の各補強材２が、接着剤９及び仕上材５を介して接合されているときには、各補強材２の内側片２ｆをハンマー等で打撃して分離する。分離した各強補材２（３）と連結材７と基板４は、単独に扱うことができ、分別処理される。
【００２１】
本発明壁パネル１は、製造するとき、基板４に補強材２，３を嵌着して補強材２，３どうしを連結６すると共に、補強材２，２どうしを連結材７で連結８することで一体化できるので、製造工数の低減が図れ、また、廃棄するとき、強補材２，２と連結材７の連結８を解くと共に補強材２，３どうしの連結６を解き、基板４から各補強材２，３を離脱して、各部材を簡単に分離できるので、分別工数の低減が図れる。
【００２２】
本発明壁パネル１は、図３に示す如く、基板４の側縁に補強材２，３の外嵌部２ａ，３ａを嵌着してあるため、基板４の厚み寸法Ｔ２が補強材２，３の厚み寸法Ｔ１に包含されることになり、仕上板５及び接着剤層９を除く部分の厚みが、基板４の厚み寸法Ｔ２に補強材２，３の厚み寸法Ｔ１を付け加えた寸法（Ｔ２＋Ｔ１）とならない。これに対して、従来の壁パネルは、枠組みした保持枠に基板を重ね合わせているため、保持枠及び基板の各厚み寸法が壁パネルの厚み寸法に含まれることになる。そのため、本発明壁パネル１は、その厚み寸法Ｔ０を従来壁パネルより薄くすることが可能となる。
【００２３】
本例の本発明壁パネル１は、強補材２，２の連結部２ｂ，２ｂの間に配置した連結材７が、基板４から壁パネル裏面側へ突出する寸法を少なく又は無くすることで、全体の厚みを薄くでき、また、各補強材２（３）が外嵌部２ａ（３ａ）と連結部２ｂ（３ｂ）を並列させて断面二次モーメントを大きくするとで、図５に示す矢符Ｂ方向（矢符Ｃ方向）の曲げに対する剛性が大きくなると共に、対向する強補材２，２を連結材７で連結することで矢符Ｃ方向の曲げに対する剛性が大きくなり、全体の曲げ剛性を大きくして丈夫にできる。
【００２４】
（第２の実施の形態）
図６は本発明壁パネルの第２の実施の形態を示すものであり、主要部材である基板４，補強材２，３及び連結材２７Ａ，２７Ｂを一体化した状態で、タイル等の仕上材を図示省略した隅側を斜め背面側からみた斜視図である。
【００２５】
本例の本発明壁パネル２１が前記第１の実施の形態に係る本発明壁パネル１と大きく相違する点は、左右の補強材２，２を連結する連結材２７Ａ，２７Ｂである。この相違点以外の構成は、前記第１の実施の形態に係る本発明壁パネル１と実質的に同一であり、第１の実施の形態と同一の符号は同一構成部材等を示している。
【００２６】
前記連結材２７Ａは、Ｃ型鋼や角パイプなどの形鋼からなり、左右両側の各々に連結片２７Ａｈを突設し、連結片２７Ａｂを左右の各補強材２の裏側片２ｅにビス６で連結してある。また、連結材２７Ａは、Ｃ型鋼や角パイプなどの形鋼や木質棒材等からなり、左右両端寄りを左右の各補強材２の裏側片２ｅにＴ字状又はＬ字状の連結片２８を用いてビス６で連結してある。
【００２７】
（第３の実施の形態）
図７乃至図９は本発明壁パネルの第３の実施の形態を示すものであり、図７は仕上板を一部破断して示す本発明壁パネル３１の正面図、図８は主要部材である基板，補強材３２，３３及び連結材３７を分離した状態の隅側を斜め背面側からみた斜視図、図９は主要部材である基板４，補強材３２，３３及び連結材３７を一体化した状態の隅側を斜め背面側からみた斜視図である。
【００２８】
本例の本発明壁パネル３１が前記第１の実施の形態に係る本発明壁パネル１と大きく相違する点は、左右上下の補強材３２，３３の形状と、隣接する補強材３２，３３の連結構造と、左右の補強材３２，３２と連結材３７の連結構造である。この相違点以外の構成は、前記第１の実施の形態に係る本発明壁パネル１と実質的に同一であり、第１の実施の形態と同一の符号は同一構成部材等を示している。
【００２９】
左右上下の補強材３２（３３）は、横断面形状が同一であり、表側片３２ｃ（３３ｃ）と内側片３２ｄ（３３ｄ）と裏側片３２ｅ（３３ｅ）を外側片３２ｆ（３３ｆ）で連結して一体化し、表側片３２ｃ（３３ｃ）と内側片３２ｄ（３３ｄ）の間に凹溝状の外嵌部３２ａ（３３ａ）を形成すると共に内側片３２ｄ（３３ｄ）と裏面片３２ｅ（３３ｅ）の間に凹溝状の連結部３２ｂ（３３ｂ）を形成してある。補強材３２（３３）は、合成樹脂またはアルミニウムの押し出し成形品等が用いられ、三片を連結して二条の凹溝を並列した簡単な構造である。
【００３０】
各補強材３２（３３）は、基板４の側縁４ａ（４ｂ）に外嵌部３２ａ（３３ａ）を嵌着し、隣接する補強材３２，３３の連結部３２ｂ，３３ｂに連結片３８を差し込み、補強材３２，３３と連結片３８をビス６，６で連結してある。更に、左右の補強材３２，３２は、各連結部３２ｂに連結材３７の端部を差し込んで、連結部３２ｂと連結材３７をビス６で連結してある。
【００３１】
（その他の実施の形態）
前記第１〜３の実施の形態は、左右の補強材２，２（２２，２２）（３２，３２）を連結材７（２７Ａ，２７Ｂ）（３７）で分離可能に連結して補強してあるが、全体の縦寸法が短いときには、連結材７（２７Ａ，２７Ｂ）（３７）を省略することも可能である。
【００３２】
また、第１〜３の実施の形態は、左右上下の補強材２，３（２２，２３）（３２，３３）を用いて補強材を枠組みしてあるが、施工現場の仕様に応じて、上下の補強材３（２３）（３３）を省略して、左右の補強材２，２（２２，２２）（３２，３２）を連結材７（２７Ａ，２７Ｂ）（３７）のみで分離可能に連結する構造とすることも可能である。この場合には、基板４に対する補強材２，２（２２，２２）（３２，３２）の嵌着と、連結材７（２７Ａ，２７Ｂ）（３７）による補強材どうしの連結が簡単にできるので、製造工数の低減が図れ、また、強補材２，２（２２，２２）（３２，３２）と連結材７（２７Ａ，２７Ｂ）（３７）の連結を解いて、三者を簡単に分離できるので、廃棄時の分別工数の低減が図れる。
【図面の簡単な説明】
【００３３】
【図１】本発明壁パネルの第１の実施の形態を示すものであり、仕上板を一部破断して示す全体の正面図である。
【図２】同実施の形態の全体を示す背面図である。
【図３】（Ａ）〜（Ｄ）は本発明壁パネルの製造工程を説明するものであり右半分を断面した平面図である。
【図４】同実施の形態における主要部材である基板，補強材及び連結材を分離した状態の隅側を斜め背面側からみた斜視図である。
【図５】（Ａ）は同実施の形態における主要部材である基板，補強材及び連結材を一体化した状態の隅側を斜め背面側からみた斜視図、（Ｂ）は同状態の隅側を斜め正面側からみた斜視図である。
【図６】本発明壁パネルの第２の実施の形態を示すものであり、主要部材である基板，補強材及び連結材を一体化した状態で、タイル等の仕上材を図示省略した隅側を斜め背面側からみた斜視図である。
【図７】本発明壁パネルの第３の実施の形態を示すものであり、仕上板を一部破断して示す全体の正面図である。
【図８】同実施の形態における主要部材である基板，補強材及び連結材を分離した状態の隅側を斜め背面側からみた斜視図である。
【図９】同実施の形態における主要部材である基板，補強材及び連結材を一体化した状態の隅側を斜め背面側からみた斜視図である。
【符号の説明】
【００３４】
２，３（２２，２３）（３２，３３）…補強材、２ａ，３ａ（２２ａ，２３ａ）（３２ａ，３３ａ）…外嵌部、２ｂ，３ｂ（２２ｂ，２３ｂ）（３２ｂ，３３ｂ）…連結部、４…基板、５…仕上板、６，８…連結（ビス）、７（２７Ａ，２７Ｂ，３７）（３７）…連結材
【図１】
2005290885.tif 000003
【図２】
2005290885.tif 000004
【図３】
2005290885.tif 000005
【図４】
2005290885.tif 000006
【図５】
2005290885.tif 000007
【図６】
2005290885.tif 000008
【図７】
2005290885.tif 000009
【図８】
2005290885.tif 000010
【図９】
2005290885.tif 000011